(57)【要約】【課題】操作が容易でかつ、小型化を図ることができ、さらに、寸法の異なる各種の二次電池に対応することができる充電器を提供する。【解決手段】充電器の二次電池装着部２１は、本体部２０に対して摺動可能であり、不使用時には本体部２０に収納され、使用時には、寸法の異なる複数の二次電池に対応して複数の位置に位置決めされるように、本体部２０から引き出されるよう構成される。【選択図】図２
2008041450.tif 000002
【特許請求の範囲】
【請求項１】
二次電池を充電する充電器において、充電回路を内蔵した本体部と、二次電池装着部とにより構成され、前記二次電池装着部は、前記本体部に対して摺動可能であり、不使用時には前記本体部に収納され、使用時には、寸法の異なる複数の前記二次電池に対応して複数の位置に位置決めされるように、前記本体部から引き出されるよう構成されることを特徴とする充電器。
【請求項２】
前記本体部は、使用状態と不使用状態とに変位可能なＡＣプラグを有し、前記ＡＣプラグは、前記二次電池収納部に連動してその状態が変位することを特徴とする請求項１記載の充電器。
【請求項３】
前記二次電池装着部の引き出し量を変えることで、充電対象の前記二次電池への印加電流量を変えることを特徴とする請求項１記載の充電器。
【請求項４】
前記電池装着部は、前記本体部への収納状態で充電端子を保護する壁を有することを特徴とする請求項１記載の充電器。
【請求項５】
前記電池収納部は、前記本体部から引き出された使用状態で前記本体部への収納方向に付勢されることを特徴とする請求項１記載の充電器。
【請求項６】
第一と第二の大きさの異なる電池に第一の使用状態と第二の使用状態に引出し量を変えることで対応可能であって、第一の使用状態と第二の使用状態をスイッチのON/OFFで検出することで充電電流を変える事が可能であることを特徴とする請求項1記載の充電器。
【発明の詳細な説明】
【技術分野】
【０００１】
本発明は、二次電池を充電する充電器に関する。
【背景技術】
【０００２】
図９は、従来例に係る充電器の外観を示す図である。
【０００３】
図９において、充電器１０の一部に充電器１０により充電される二次電池の形状に合った二次電池装着部１１を構成している。
【０００４】
尚、電池装着面にガイド凹部を設け、電池の位置決め凸部を持った装着面が充電器の装着面に平行移動できるように装着可能とする充電器が提案されている（特許文献１参照）。
【０００５】
また、本体ケースと電源用の電池を収容する電池収容ケースから構成され、本体ケースに設けたガイド溝に嵌合し不使用時には、電池収容ケースは軸回りに１８０°回動させて本体ケース上面側に折り重ねる充電器が提案されている（特許文献２参照）。
【特許文献１】特開平８−１０２３３６号公報
【特許文献２】特開平１０−２８４１３４号公報
【発明の開示】
【発明が解決しようとする課題】
【０００６】
図９の充電器の場合、二次電池を装着するために予め形状に合った二次電池装着部を設けるため、不使用時にそのスペースは機能を果たさず充電器の寸法が大きくなり、小型化の妨げとなる。また、寸法が大きいため、持ち運び時の際に使い勝手が良くないという問題もある。
【０００７】
特許文献２に示されるように、電池収容ケースを折り畳み式にし、あるいは、電池装着部を収納式としたものも提案されてはいるが、何れも、ＡＣプラグの操作が更に必要であったり、電池の大きさの違いに対応できないものであった。
【０００８】
本発明の目的は、操作が容易でかつ、小型化を図ることができ、さらに、寸法の異なる各種の二次電池に対応することができる充電器を提供することにある。
【課題を解決するための手段】
【０００９】
上記目的を達成するために、請求項１記載の二次電池を充電する充電器において、充電回路を内蔵した本体部と、二次電池装着部とにより構成され、前記二次電池装着部は、前記本体部に対して摺動可能であり、不使用時には前記本体部に収納され、使用時には、寸法の異なる複数の前記二次電池に対応して複数の位置に位置決めされるように、前記本体部から引き出されるよう構成されることを特徴とする。
【発明の効果】
【００１０】
本発明の充電器において、その二次電池装着部は、本体部に対して摺動可能であり、不使用時には本体部に収納され、使用時には、寸法の異なる複数の二次電池に対応して複数の位置に位置決めされるように、本体部から引き出されるよう構成される。
【００１１】
このように二次電池装着部は、不使用時には本体部に収納されるので、充電器の小型化を図ることができる。また、複数の位置に位置決めされるので、寸法の異なる各種の二次電池に対応することができる。
【００１２】
また、本発明の充電器は、使用状態と不使用状態とに変位可能なＡＣプラグを有し、ＡＣプラグは、二次電池収納部に連動してその状態が変位するので、ＡＣプラグの操作が不要となり、操作性が向上する。
【発明を実施するための最良の形態】
【００１３】
以下、本発明の実施の形態を図面を参照しながら詳細に説明する。
【００１４】
図１は、本発明の実施の形態に係る充電器において、電池装着部が本体部に収納されている状態の外観を示す図である。
【００１５】
図１において、充電器は、本体部２０と二次電池装着部２１で構成され、二次電池装着部２１は、本体部２０に対し摺動自在であり、摺動によって本体部２０に完全に収納され、また、二次電池の大きさに対応する任意の位置に引き出されるようになっている。
【００１６】
ここで収納とは、本体部２０と二次電池装着部２１の上面、下面位置が一致するように並立することを指し、この状態は充電器の不使用状態である。また、引き出された状態は、充電器の使用状態（充電状態）である。
【００１７】
図２は、本発明の実施の形態に係る充電器の使用状態のＡＣブレード側から見た外観を示す図である。
【００１８】
図２において、二次電池装着部２１は、本体部２０に対して矢印３０の方向（図の下方）に引き出された状態である。この状態になった時、回転可能なＡＣブレード３１ａ、３１ｂは、ここでは図示しないバネにて矢印３２の方向に付勢されて、本体部２０から直角に突出し、図示しないコンセントに挿入可能となる。
【００１９】
即ち、この回転可能なＡＣブレード３１ａ、３１ｂは、本体部２０に対する二次電池装着部２１の収納及び引き出しと同じく、収納状態及び使用状態に、その状態が変わる。また、凸部３３ａ、３３ｂを本体部２０に設け、ここでは図示しない凹部を二次電池装着部２１に設け、二次電池装着部２１が収納状態を維持するようにしている。
【００２０】
二次電池装着部２１には指掛かり部３４を設けて二次電池装着部２１の引き出し性を容易にする。さらに、本体部２０はここでは図示しない回路を内蔵する。
【００２１】
図３は、本発明の実施の形態に係る充電器において、図２に対して倒立した状態で、かつＡＣブレードの反対側から見た外観を示す図である。
【００２２】
図３において、本体部２０には充電端子４０ａ、４０ｂ、４０ｃが設けてある。この充電端子４０ａ、４０ｂ、４０ｃは、二次電池装着部２１を使用状態に引き出した時のみ露出し、不使用状態で二次電池装着部２１が収納されると、二次電池装着部２１の壁４１によって保護することが可能となる。
【００２３】
図４は、本発明の実施の形態に係る充電器における本体部の断面を示す図である。
【００２４】
図４において、回転可能なＡＣブレード３１ａ、３１ｂは、本体部２０内で軸５０にて回転可能に保持される。この軸５０にはバネ（弦巻バネ）５１が取り付けられており、ＡＣブレード３１ａ、３１ｂは、常に矢印３２の方向に付勢されている。
【００２５】
充電器を使用する際に、二次電池装着部２１を矢印３０の方向へ移動させることで、二次電池装着部２１の壁５２がＡＣブレード３１ａ、３１ｂを開放する。また、不使用状態へ戻す際は、同様に壁５２によりＡＣブレード３１ａ、３１ｂを本体部２０内へ収納する。
【００２６】
図５は、本発明の実施の形態に係る充電器における本体部のカバーと電池装着部の分解状態の外観を示す図である。
【００２７】
図５において、本体部２０のカバー２０ａには、先に述べた凸部３３ａ、３３ｂと同様の凸部６０ａ、６０ｂを、凸部３３ａ、３３ｂと反対側の端部に設ける。そして、二次電池装着部２１には、各凸部３３ａ、３３ｂ、６０ａ、６０ｂと対向する位置に、各凸部３３ａ、３３ｂ、６０ａ、６０ｂが嵌合する凹部６１ａ、６１ｂ、６２ａ、６２ｂを設ける。
【００２８】
具体的には、使用時には凸部６０ａ、６０ｂ、凹部６１ａ、６１ｂが、不使用時には凸部３３ａ、３３ｂ、凹部６１ａ、６１ｂが嵌り合う。本図では、説明を簡単にするため、充電時と不使用時の２つの位置で凹凸が嵌合するように構成したが、複数種の寸法の電池に対応するために、実際は、凹凸部の数を増やして、何段階かで、二次電池装着部２１の引き出し位置を固定できようにする。
【００２９】
図６は、図５に示す本体部のカバーと電池装着部を組み合わせた状態の外観を示す図である。
【００３０】
図６において、二次電池装着部２１に設けた突起７０が本体部２０のカバー２０ａの壁７１に当り、引き出した際のストッパーとなる。このストッパー機能により、二次電池装着部２１の本体部２０からの離脱を防止することができる。
【００３１】
図７は、本発明の実施の形態に係る充電器の電池装着部にバネを有する構成を概略的に示す図である。
【００３２】
図７において、二次電池装着部２１に設けた突起７０と、本体部２０のカバー２０ａの壁７１との間にバネ８０を設け、充電時に二次電池装着部２１を引き出した際に、二次電池装着部２１を、戻る方向に付勢することで確実な接点圧を確保することも可能となる。
【００３３】
図８は、本発明の実施の形態に係る充電器の電池装着部に段差部を有する構成を概略的に示す図である。
【００３４】
図８において、二次電池装着部２１に段差部９０を設け、二次電池装着部２１の引き出し量によりスイッチ９１をオン、オフさせることで電流値を切り換えて、寸法や容量の異なる電池に最適な充電を得るようにする。
【図面の簡単な説明】
【００３５】
【図１】本発明の実施の形態に係る充電器において、電池装着部が本体部に収納されている状態の外観を示す図である。
【図２】本発明の実施の形態に係る充電器の使用状態のＡＣブレード側から見た外観を示す図である。
【図３】本発明の実施の形態に係る充電器において、図２に対して倒立した状態で、かつＡＣブレードの反対側から見た外観を示す図である。
【図４】本発明の実施の形態に係る充電器における本体部の断面を示す図である。
【図５】本発明の実施の形態に係る充電器における本体部のカバーと電池装着部の分解状態の外観を示す図である。
【図６】図５に示す本体部のカバーと電池装着部を組み合わせた状態の外観を示す図である。
【図７】本発明の実施の形態に係る充電器の電池装着部にバネを有する構成を概略的に示す図である。
【図８】本発明の実施の形態に係る充電器の電池装着部に段差部を有する構成を概略的に示す図である。
【図９】従来例に係る充電器の外観を示す図である。
【符号の説明】
【００３６】
２０  本体部
２０ａ   カバー
２１  二次電池装着部
３０  矢印
３１ａ   ＡＣブレード（ＡＣプラグ）
３１ｂ   ＡＣブレード（ＡＣプラグ）
３２  矢印
３３ａ   凸部
３３ｂ   凸部
３４  指掛かり部
４０ａ   充電端子
４０ｂ   充電端子
４０ｃ   充電端子
４１  壁
５０  軸
５１  バネ
５２    電池装着部の壁
６０ａ   凸部
６０ｂ   凸部
６１ａ   凹部
６１ｂ   凹部
６２ａ   凹部
６２ｂ   凹部
７０    突起
７１  壁
８０  バネ
９０  段差部
９１  スイッチ
【図１】
2008041450.tif 000003
【図２】
2008041450.tif 000004
【図３】
2008041450.tif 000005
【図４】
2008041450.tif 000006
【図５】
2008041450.tif 000007
【図６】
2008041450.tif 000008
【図７】
2008041450.tif 000009
【図８】
2008041450.tif 000010
【図９】
2008041450.tif 000011